(57)【特許請求の範囲】
【請求項１】
タッチパネルを有し、前記タッチパネルを振動させる再生装置において、
ユーザによる前記タッチパネルの操作に応じて、データをフレーム単位で再生する再生回路と、
各フレームの前記データが再生されるごとに、前記タッチパネルを振動させる振動回路と
を備える再生装置。
【請求項２】
前記振動回路は、前記再生回路による再生の速度が略１倍速以下である場合、各フレームの前記データが再生されるごとに、前記タッチパネルを振動させ、前記再生の速度が略１倍速より大きい場合、所定の間隔で前記タッチパネルを振動させる
請求項１に記載の再生装置。
【請求項３】
ユーザによる前記タッチパネルの操作に応じて、前記再生の速度を決定する決定回路
をさらに備え、
前記再生回路は、前記決定回路により決定された再生の速度で前記データを再生する
請求項２に記載の再生装置。
【請求項４】
前記再生回路により再生されたデータに基づいて、画像を表示する表示回路
をさらに備える
請求項１に記載の再生装置。
【請求項５】
タッチパネルを有し、前記タッチパネルを振動させる再生装置の再生方法において、
ユーザによる前記タッチパネルの操作に応じて、データをフレーム単位で再生し、
各フレームの前記データが再生されるごとに、前記タッチパネルを振動させる
ステップを含む再生方法。
【請求項６】
ユーザによるタッチパネルの操作に応じて、データをフレーム単位で再生し、
各フレームの前記データが再生されるごとに、前記タッチパネルを振動させる
ステップを含む処理をコンピュータに実行させるプログラム。
【請求項７】
タッチパネルを有し、前記タッチパネルを振動させる再生装置において、
ユーザによる前記タッチパネルの操作に応じて、データをフィールド単位で再生する再生回路と、
各フィールドの前記データが再生されるごとに、前記タッチパネルを振動させる振動回路と
を備える再生装置。
【発明の詳細な説明】
【技術分野】
【０００１】
本発明は、再生装置および再生方法、並びにプログラムに関し、特に、ユーザによるタッチパネルの操作に応じてデータの再生を制御する場合において、ユーザが所望のデータをフレーム単位の精度で容易に検索することができるようにした再生装置および再生方法、並びにプログラムに関する。
【背景技術】
【０００２】
編集者は、画像を編集する場合、編集装置において、例えば編集対象とする画像を再生させ、再生された画像を見ながら編集点の画像を検索する。
【０００３】
このような編集装置に設けられる、再生を制御するためのインターフェースとしては、例えば、タッチパネルが設けられた表示装置に表示されるサーチバーがある（例えば、特許文献１参照）。このサーチバーが設けられた編集装置では、ユーザにより手指が接触されたサーチバーの位置に対応した再生速度および方向で再生が行われる。
【０００４】
一方、タッチパネルにおいて、ユーザが手指を接触すると、ユーザが音として感知可能な音声振動と、ユーザの触覚を刺激する触覚振動を行うことが考案されている（例えば、特許文献２参照）。また、タッチパネルが設けられた表示装置に表示される操作子としては、直線状や円形状のものがある。
【０００５】
【特許文献１】特開２００６−３０１７３６号公報
【０００６】
【特許文献２】特開２００７−１２２５０１号公報
【発明の開示】
【発明が解決しようとする課題】
【０００７】
ところで、業務用の画像編集などにおいては、フレーム単位の精度で画像を編集することが要求される。従って、編集点付近でのフレーム調整は重要である。しかしながら、画像の動きが少ない場合、再生された画像を見てもフレームの切り替わりが分かりにくく、編集点付近でのフレーム調整は困難であった。
【０００８】
また、編集者は、編集点付近でのフレーム調整を行う際、例えば編集点を検索するタイムコードの範囲を決定し、その範囲内の再生された画像を見ながら、フレーム単位の精度で編集点を検索する。従って、ユーザは、例えば、表示装置に表示される、再生された画像と、その画像のタイムコードの両方を確認しながら、編集点を検索しなければならず、画像とタイムコードの表示位置が離れている場合、ユーザは視線を動かす必要があり、不便であった。
【０００９】
本発明は、このような状況に鑑みてなされたものであり、ユーザによるタッチパネルの操作に応じてデータの再生を制御する場合において、ユーザが所望のデータをフレーム単位の精度で容易に検索することができるようにするものである。
【課題を解決するための手段】
【００１０】
本発明の第１の側面の再生装置は、タッチパネルを有し、前記タッチパネルを振動させる再生装置において、ユーザによる前記タッチパネルの操作に応じて、データをフレーム単位で再生する再生回路と、各フレームの前記データが再生されるごとに、前記タッチパネルを振動させる振動回路とを備える。
【００１１】
本発明の第１の側面の再生装置において、前記振動回路は、前記再生回路による再生の速度が略１倍速以下である場合、各フレームの前記データが再生されるごとに、前記タッチパネルを振動させ、前記再生の速度が略１倍速より大きい場合、所定の間隔で前記タッチパネルを振動させることができる。
【００１２】
本発明の第１の側面の再生装置は、ユーザによる前記タッチパネルの操作に応じて、前記再生の速度を決定する決定回路をさらに設け、前記再生回路は、前記決定回路により決定された再生の速度で前記データを再生することができる。
【００１３】
本発明の第１の側面の再生装置は、前記再生回路により再生されたデータに基づいて、画像を表示する表示回路をさらに設けることができる。
【００１４】
本発明の第１の側面の再生方法は、タッチパネルを有し、前記タッチパネルを振動させる再生装置の再生方法において、ユーザによる前記タッチパネルの操作に応じて、データをフレーム単位で再生し、各フレームの前記データが再生されるごとに、前記タッチパネルを振動させるステップを含む。
【００１５】
本発明の第１の側面のプログラムは、ユーザによるタッチパネルの操作に応じて、データをフレーム単位で再生し、各フレームの前記データが再生されるごとに、前記タッチパネルを振動させるステップを含む処理をコンピュータに実行させる。
【００１６】
本発明の第２の側面の再生装置は、タッチパネルを有し、前記タッチパネルを振動させる再生装置において、ユーザによる前記タッチパネルの操作に応じて、データをフィールド単位で再生する再生回路と、各フィールドの前記データが再生されるごとに、前記タッチパネルを振動させる振動回路とを備える。
【００１７】
本発明の第１の側面においては、ユーザによるタッチパネルの操作に応じて、データがフレーム単位で再生され、各フレームのデータが再生されるごとに、タッチパネルが振動する。
【００１８】
本発明の第２の側面においては、ユーザによるタッチパネルの操作に応じて、データがフィールド単位で再生され、各フィールドのデータが再生されるごとに、タッチパネルが振動する。
【発明の効果】
【００１９】
以上のように、本発明の第１の側面によれば、再生を制御することができる。また、本発明の第１の側面によれば、ユーザによるタッチパネルの操作に応じてデータの再生を制御する場合において、ユーザが所望のデータをフレーム単位の精度で容易に検索することができる。
【００２０】
本発明の第２の側面によれば、再生を制御することができる。また、本発明の第２の側面によれば、ユーザによるタッチパネルの操作に応じてデータの再生を制御する場合において、ユーザが所望のデータをフレーム単位およびフィールド単位の精度で容易に検索することができる。
【発明を実施するための最良の形態】
【００２１】
図１は、本発明を適用した編集装置の一実施の形態の構成例を示す斜視図である。
【００２２】
図１の編集装置１０の筐体２０の上面の中央には、タッチパネル２１が積層されたディスプレイ２２が設けられている。このディスプレイ２２には、図中奥側に、編集対象とする画像などを表示する領域である画像領域３１が設けられ、図中手前側に、編集に関する機能が割り当てられた操作子４１を表示する領域である操作子領域３２が設けられている。
【００２３】
なお、画像領域３１と操作子領域３２の表示の詳細については、図５と図２で後述する。また、操作子４１は、操作子領域３２に表示される全ての操作子の総称である。
【００２４】
また、タッチパネル２１の操作子領域３２に対応する領域には、ユーザの操作子４１に対する操作を補助するカバーパネル２３が装着される。このカバーパネル２３の操作子４１に対応する領域には、タッチパネル２１と接する底面から上面に向かって大きくなるように穴部４２が設けられている。これにより、ユーザは、穴部４２を手掛かりにして、手指の感触で操作子４１の位置を認識することができる。その結果、ユーザは、ブラインドタッチを行うことができる。
【００２５】
また、カバーパネル２３は透明な素材で構成され、これにより、ユーザは、カバーパネル２３とタッチパネル２１を介して、操作子領域３２に表示される文字などを視認することができる。
【００２６】
ユーザは、ディスプレイ２２に表示される所望の操作子４１に対応する、タッチパネル２１上の位置を手指などで接触することにより、操作子４１に対する操作を行う。ユーザは、操作子４１に対する操作を行い、例えば、編集の素材となる画像や音声のデータである素材データをフレーム単位で再生させることにより、編集点を検索する。
【００２７】
このとき、編集装置１０は、再生速度に応じて、各フレームの素材データが再生されるごとに、タッチパネル２１の表面を１フレームの再生時間（例えば1/30秒）以内でパルス的に振動させたり、所定の間隔で、タッチパネル２１の表面を、その間隔の時間以内でパルス的に振動させたりする。
【００２８】
その結果、ユーザは、タッチパネル２１の表面の振動を手指などで感知することにより、再生中であることを認識することができる。
【００２９】
また、各フレームの素材データが再生されるごとに、タッチパネル２１の表面がパルス的に振動する場合、画像の動きが少ない場合であっても、ユーザは、タッチパネル２１の表面の振動を手指などで感知することにより、フレームの切り替わりを容易かつ正確に認識することができる。その結果、ユーザは、所望の素材データをフレーム単位の精度で容易に検索することができる。
【００３０】
以上のように、編集装置１０では、再生中であることやフレームが切り替わったことを、手指などにより感知することができるので、編集装置１０は、ユーザがブラインドタッチを行う場合に特に適している。
【００３１】
図２は、図１の操作子領域３２の画面の例を示している。
【００３２】
図２に示すように、操作子領域３２には、操作子１１１が、操作子領域３２の右上側の、カバーパネル２３に設けられた正方形の穴部４２に対応する位置に、一辺が12の正方形で表示される。
【００３３】
なお、操作子１１１の内部には、編集元（SOURCE）を表す「SRC」という文字が表示され、操作子１１１は、編集元である素材データの再生に関する指示を行うときに操作される。ユーザは、操作子１１１を操作した後、後述する操作子１１３乃至１２２を操作することにより、素材データの再生に関する各種の指示を行うことができる。
【００３４】
また、操作子領域３２には、操作子１１２が、操作子１１１の右側の、カバーパネル２３に設けられた正方形の穴部４２に対応する位置に表示される。
【００３５】
なお、操作子１１２の内部には、編集先（DESTINATION）を表す「DST」という文字が表示され、操作子１１２は、編集先である編集結果の再生に関する指示を行うときに操作される。ユーザは、操作子１１２を操作した後、後述する操作子１１３乃至１２２を操作することにより、編集結果の再生に関する各種の指示を行うことができる。また、操作子１１１と１１２の上側には、操作子１１１乃至１２２の全体の機能である再生制御の指示を表す「PLAYBACK CONTROL」という文字が表示される。
【００３６】
さらに、操作子領域３２には、操作子１１３が、操作子１１１の左下側の、カバーパネル２３に設けられた円形の穴部４２に対応する位置に、直径が12である円形で表示される。なお、操作子１１３の内部には、巻き戻し（REWIND）を表すマークが表示され、操作子１１３は、素材データまたは編集結果の巻き戻し再生を指示するときに操作される。
【００３７】
他の操作子１１４乃至１３９についても同様に、カバーパネル２３に設けられた穴部４２に対応する位置に表示される。具体的には、操作子１１４は、操作子１１３の右上側の、カバーパネル２３に設けられた円形の穴部４２に対応する位置に、内部に停止（STOP）を表すマークが表示された円形で表示され、素材データまたは編集結果の再生の停止を指示するときに操作される。
【００３８】
操作子１１５は、操作子１１４の右側の、カバーパネル２３に設けられた円形の穴部４２に対応する位置に、内部に再生（PLAY）を表すマークが表示された円形で表示され、素材データまたは編集結果の再生を指示するときに操作される。操作子１１６は、操作子１１５の右下側の、カバーパネル２３に設けられた円形の穴部４２に対応する位置に、内部に早送りを表すマークが表示された円形で表示され、素材データまたは編集結果の早送り再生を指示するときに操作される。
【００３９】
操作子１１７は、操作子１１４と１１５の下側の、カバーパネル２３に設けられた円形の穴部４２に対応する位置に円形で表示され、素材データまたは編集結果の再生位置の移動を指示するときに、円周方向にスライド操作される。例えば、ユーザは、操作子１１７内を円周に沿って時計回りにスライド操作することにより、再生位置の後方への移動を指示したり、操作子１１７内を円周に沿って反時計周りにスライド操作することにより、再生位置の前方への移動を指示する。
【００４０】
操作子１１８は、操作子１１７の左側の、カバーパネル２３に設けられた正方形の穴部４２に対応する位置に、ジョグモードとシャトルモードを表す「JOG/SHTL」という文字が表示された正方形で表示され、操作子１１７のモードをジョグモードまたはシャトルモードに設定するための指示を行うときに操作される。なお、ジョグモードとは、操作位置の移動に応じて再生位置を移動させるモードであり、シャトルモードとは、操作位置の移動に応じて再生速度を変化させるモードである。
【００４１】
なお、以下では、他の操作子と区別し易くするために、操作子１１７をジョグダイヤル１１７といい、操作子１１８をモードボタン１１８という。
【００４２】
操作子１１９は、モードボタン１１８の左側の、カバーパネル２３に設けられた正方形の穴部４２に対応する位置に、前（PREVIOUS）を表す「PREV」という文字が表示された正方形で表示され、１つ前のクリップ（後述する）の先頭位置への再生位置の移動を指示するときに操作される。なお、クリップとは、１回の撮影処理（撮影開始から撮影終了までの撮影処理）により得られた素材データを指す。
【００４３】
操作子１２０は、操作子１１９の右側かつモードボタン１１８の左側の、カバーパネル２３に設けられた正方形の穴部４２に対応する位置に、次（NEXT）を表す「NEXT」という文字が表示された正方形で表示され、１つ次のクリップの先頭位置への再生位置の移動を指示するときに操作される。
【００４４】
操作子１２１は、操作子１１９の下側の、カバーパネル２３に設けられた正方形の穴部４２に対応する位置に、１つ前を表す「−１」という文字が表示された正方形で表示され、１つ前のフレームへの再生位置の移動を指示するときに操作される。操作子１２２は、操作子１２０の下側の、カバーパネル２３に設けられた正方形の穴部４２に対応する位置に、１つ次を表す「＋１」という文字が表示された正方形で表示され、１つ次のフレームへの再生位置の移動を指示するときに操作される。
【００４５】
操作子１２３は、操作子１１９の上側の、カバーパネル２３に設けられた正方形の穴部４２に対応する位置に、編集の開始位置を表す編集点であるイン点を表す「IN」という文字が表示された正方形で表示され、いまの再生位置を音声のイン点として指示するときに操作される。なお、操作子１２３の左側には、音声を表す「AUDIO」という文字が表示される。
【００４６】
操作子１２４は、操作子１２３の右側の、カバーパネル２３に設けられた正方形の穴部４２に対応する位置に、編集の終了位置を表す編集点であるアウト点を表す「OUT」という文字が表示された正方形で表示され、いまの再生位置を音声のアウト点として指示するときに操作される。
【００４７】
操作子１２５は、操作子１１９の上側かつ操作子１２３の下側の、カバーパネル２３に設けられた正方形の穴部４２に対応する位置に、イン点を表す「IN」という文字が表示された正方形で表示され、いまの再生位置を画像のイン点として指示するときに操作される。なお、操作子１２５の左側には、画像を表す「VIDEO」という文字が表示される。
【００４８】
操作子１２６は、操作子１２０の上側かつ操作子１２４の下側の、カバーパネル２３に設けられた正方形の穴部４２に対応する位置に、アウト点を表す「OUT」という文字が表示された正方形で表示され、いまの再生位置を画像のアウト点として指示するときに操作される。
【００４９】
操作子１２７は、操作子１２３の右上側かつ操作子１２４の左上側の、カバーパネル２３に設けられた正方形の穴部４２に対応する位置に、編集を表す「EDIT」という文字が表示された正方形で表示され、操作子１２５乃至１２７により指示された素材データのイン点からアウト点までを、いまの編集結果の再生位置に挿入するための指示を行うときに操作される。なお、操作子１２７の左側には、操作子１２３乃至１２８の全体の機能である編集の指示を表す「EDIT」という文字が表示される。
【００５０】
操作子１２８は、操作子１２３の左下側かつ操作子１２５の左上側の、カバーパネル２３に設けられた正方形の穴部４２に対応する位置に、消去を表す「DELETE」という文字が表示された正方形で表示され、操作子１２３乃至１２６により指示された編集結果のイン点とアウト点のデータを消去するための指示を行うときに操作される。
【００５１】
操作子１２９は、操作子領域３２の左上側の、カバーパネル２３に設けられた正方形の穴部４２に対応する位置に正方形で表示され、画像領域３１(図１)に表示されている編集結果の画像に対するズームイン効果の付加を指示するときに操作される。なお、操作子１２９の下側には、ズームイン効果を表す「ZOOM IN」が表示される。
【００５２】
操作子１３０は、操作子１２９の右側の、カバーパネル２３に設けられた正方形の穴部４２に対応する位置に正方形で表示され、画像領域３１に表示されている編集結果の画像に対するズームアウト効果の付加を指示するときに操作される。なお、操作子１３０の下側には、ズームアウト効果を表す「ZOOM OUT」が表示される。また、操作子１２９と１３０の上側には、操作子１２９乃至１３４の全体の機能である画像効果を付加するための指示を表す「VIDEO EFFECT」という文字が表示される。
【００５３】
操作子１３１は、操作子１２９の下側の、カバーパネル２３に設けられた正方形の穴部４２に対応する位置に正方形で表示され、画像領域３１に表示されている編集結果の画像に対するフェードイン効果の付加を指示するときに操作される。なお、操作子１３１の下側には、フェードイン効果を表す「FADE IN」が表示される。
【００５４】
操作子１３２は、操作子１３０の下側の、カバーパネル２３に設けられた正方形の穴部４２に対応する位置に正方形で表示され、画像領域３１に表示されている編集結果の画像に対するフェードアウト効果の付加を指示するときに操作される。なお、操作子１３２の下側には、フェードアウト効果を表す「FADE OUT」が表示される。
【００５５】
操作子１３３は、操作子１３１の下側の、カバーパネル２３に設けられた正方形の穴部４２に対応する位置に正方形で表示され、画像領域３１に表示されている編集結果の画像に対するディゾルブ効果の付加を指示するときに操作される。なお、操作子１３３の下側には、ディゾルブ効果を表す「DISSOLVE」が表示される。
【００５６】
操作子１３４は、操作子１３２の下側の、カバーパネル２３に設けられた正方形の穴部４２に対応する位置に正方形で表示され、画像領域３１に表示されている編集結果の画像に対するワイプ効果の付加を指示するときに操作される。なお、操作子１３４の下側には、ワイプ効果を表す「WIPE」が表示される。
【００５７】
操作子１３５は、操作子１３０と１３２の右側の、カバーパネル２３に設けられた長方形の穴部４２に対応する位置に長方形で表示され、１チャネルの音声の音量の変更を指示するときに、長手方向にスライド操作される。また、操作子１３６は、操作子１３５の右側の、カバーパネル２３に設けられた長方形の穴部４２に対応する位置に長方形で表示され、２チャネルの音声の音量の変更を指示するときに、長手方向にスライド操作される。
【００５８】
ユーザは、所望のチャネルの音量を大きくする場合、そのチャネルに対応する操作子１３５または１３６内を、手指などで音量の変更量に対応する分だけ上方向にスライド操作する。一方、ユーザは、所望のチャネルの音量を小さくする場合、そのチャネルに対応する操作子１３５または１３６内を、手指などで音量の変更量に対応する分だけ下方向にスライド操作する。なお、操作子１３５と１３６の上側には、操作子１３５と１３６の全体の機能である音量調節の指示を表す「AUDIO MIXER」という文字が表示される。
【００５９】
操作子１３７は、操作子１３６の右側の、カバーパネル２３に設けられた長方形の穴部４２に対応する位置に長方形で表示され、マスタボリュームの変更を指示するときに、長手方向にスライド操作される。ユーザは、操作子１３７を操作子１３５や１３６と同様に操作することができる。なお、操作子１３７の上側には、操作子１３７の機能であるマスタボリュームの変更の指示を表す「MASTER VOLUME」という文字が表示される。
【００６０】
操作子１３８は、操作子１３５の下側の、カバーパネル２３に設けられた正方形の穴部４２に対応する位置に、内部に１チャネルを表す「CH-1」が表示された正方形で表示され、１チャネルの音声データを編集結果に含めるかどうかの選択を指示するときに操作される。
【００６１】
操作子１３９は、操作子１３６の下側の、カバーパネル２３に設けられた正方形の穴部４２に対応する位置に、内部に２チャネルを表す「CH-2」が表示された正方形で表示され、２チャネルの音声データを編集結果に含めるかどうかの選択を指示するときに操作される。操作子１３８と１３９の上側には、操作子１３８と１３９の全体の機能である音声の選択の指示を表す「AUDIO SELECT」という文字が表示される。
【００６２】
以上のように、図２の操作子１１１乃至１３９は、タッチパネル２１に装着されるカバーパネル２３の穴部４２に対応する位置に、対応する形状で表示されるので、ユーザは、タッチパネル２１の操作子１１１乃至１３９の表示位置に対応する位置を手指などで接触し、編集に関する各種の指示を入力することができる。
【００６３】
また、上述したように、カバーパネル２３は透明な素材で構成されているので、ユーザは、操作子１１１乃至１３９の近傍の、穴部４２に対応する位置以外の位置に表示される操作子１１１乃至１３９の機能を表す文字を、カバーパネル２３を介して視認することができる。その結果、ユーザは、操作子１１１乃至１３９の機能を容易に認識することができる。
【００６４】
図３は、図１の編集装置１０の構成例を示すブロック図である。
【００６５】
図３のCPU（Central Processing Unit）１５１は、ROM（Read Only Memory）１５２、または、後述する記録部１６０に記憶されているプログラムにしたがって各種の処理を実行する。RAM（Random Access Memory）１５３には、CPU１５１が実行するプログラムやデータなどが適宜記憶される。これらのCPU１５１、ROM１５２、およびRAM１５３は、バス１５４により相互に接続されている。なお、CPU１５１、ROM１５２、およびRAM１５３は、マイクロコンピュータにより構成されるようにしてもよい。
【００６６】
CPU１５１にはまた、バス１５４を介して入出力インターフェース１５５が接続されている。入出力インターフェース１５５には、図１のタッチパネル２１を含むタッチパネル部１７１などよりなる入力部１５６、タッチパネル２１の表面をパルス的に振動させる駆動部１５７、ディスプレイ２２などよりなる出力部１５８が接続されている。
【００６７】
タッチパネル部１７１は、ユーザの手指などの接触によりタッチパネル２１にかかる圧力を検知し、その圧力を検知した位置を表す操作位置情報をCPU１５１に入力する。CPU１５１は、例えば、入力部１５６からの入力に対応して各種の処理を実行し、処理の結果を出力部１５８に出力する。
【００６８】
例えば、CPU１５１は、タッチパネル部１７１から入力される操作位置情報に対応して、記録部１６０にフレーム単位で記録されている素材データをノンリニア編集する編集処理を行う。
【００６９】
具体的には、CPU１５１は、タッチパネル部１７１から入力される操作位置情報に対応して、ドライブ１５９を制御し、ジョグダイヤル１１７（図２）の操作に対応する再生方向と再生速度で、記録部１６０に記録されているフレーム単位の素材データを再生する。そして、CPU１５１は、再生された素材データのうちの画像データをディスプレイ２２に供給することにより、その画像データに基づく画像をディスプレイ２２に表示させる。
【００７０】
また、CPU１５１は、タッチパネル部１７１から入力される操作位置情報に対応して、操作子１２３または１２５もしくは操作子１２４または１２６の操作により編集点として指示された位置を、素材データの編集結果に関する情報を表すエディットリストに記述し、そのエディットリストを、ドライブ１５９を介して記録部１６０に記録させる。
【００７１】
さらに、CPU１５１は、タッチパネル部１７１から入力される操作位置情報に対応して、エディットリストにしたがって、記録部１６０に記録に記録されている素材データを再生することにより、編集結果の画像を出力部１５８のディスプレイ２２に表示させる。
【００７２】
また、CPU１５１は、記録部１６０から再生された素材データのフレームが切り替わるたびに、フレームの切り替わりを表すフレーム切り替わり信号を発生する。CPU１５１は、ジョグダイヤル１１７の操作に対応して略１倍速以下の再生速度での素材データの再生中、フレーム切り替わり信号に応じて、タッチパネル２１の表面を１フレームの再生時間以内でパルス的に振動させるための駆動信号を、タッチパネル駆動部１５７に供給する。これにより、各フレームの素材データが再生されるごとに、タッチパネル２１の表面がパルス的に振動する。
【００７３】
入出力インターフェース１５５に接続されているドライブ１５９は、CPU１５１の制御により、ハードディスクなどからなる記録部１６０に、クリップ単位の素材データと、各編集処理で記述されるエディットリストを、ファイルとして記録させる。また、ドライブ１５９は、CPU１５１が実行するプログラムなどを記録部１６０に記録させる。さらに、ドライブ１５９は、CPU１５１の制御により、記録部１６０に記録されている素材データをフレーム単位で再生し、CPU１５１に供給する。
【００７４】
通信部１６１は、インターネットやローカルエリアネットワークなどのネットワークを介して外部の装置と通信する。例えば、通信部１６１は、ネットワークを介して外部の装置から素材データを取得し、CPU１５１に供給する。この素材データは、CPU１５１の制御により、例えば記録部１６０に記録される。
【００７５】
入出力インターフェース１５５に接続されているドライブ１６２は、磁気ディスク、光ディスク、光磁気ディスク、或いは半導体メモリなどのリムーバブルメディア１６３が装着されたとき、それらを駆動し、そこに記録されているプログラムやデータなどを取得する。取得されたプログラムやデータは、必要に応じて記録部１６０に転送され、記録される。なお、プログラムは、通信部１６１を介して取得され、記録部１６０に記録されてもよい。
【００７６】
図４は、図３の編集装置１０の機能的構成例を示している。
【００７７】
図４では、タッチパネル部１７１は、タッチパネル２１と圧力検知部１８１により構成される。圧力検知部１８１は、ユーザの手指などの接触によりタッチパネル２１にかかる圧力を検知し、操作位置情報をCPU１５１に入力する。
【００７８】
図４のCPU１５１は、制御信号発生部１９１、ドライブ制御部１９２、出力制御部１９３、および駆動信号発生部１９４により構成される。
【００７９】
制御信号発生部１９１は、タッチパネル部１７１の圧力検知部１８１から供給される操作位置情報に基づいて、その操作位置情報が表す位置の操作子４１に対応する処理を行う。
【００８０】
例えば、制御信号発生部１９１は、図２のモードボタン１１８の位置を表す操作位置情報に基づいて、ジョグダイヤル１１７のモードをジョグモードまたはシャトルモードに設定する。
【００８１】
また、制御信号発生部１９１は、ジョグダイヤル１１７内の位置を表す操作位置情報と、ジョグダイヤル１１７のモードとに基づいて、その操作位置情報が表す位置に対応する再生方向と再生速度を決定する。そして、制御信号発生部１９１は、その再生方向と再生速度で再生を行うための制御信号である再生制御信号を発生し、ドライブ制御部１９２に供給するとともに、タッチパネル２１の振動の種類を表す制御信号である振動制御信号を発生し、駆動信号発生部１９４に供給する。
【００８２】
ドライブ制御部１９２は、制御信号発生部１９１から供給される再生制御信号に基づいて、ドライブ１５９を制御し、その再生制御信号に対応する再生方向と再生速度で、記録部１６０に記録されている素材データをフレーム単位で再生する。ドライブ１５９により記録部１６０から再生されたフレーム単位の素材データは、出力制御部１９３に供給される。
【００８３】
出力制御部１９３は、ドライブ１５９から供給されるフレーム単位の素材データのうちの画像データをディスプレイ２２に供給し、その画像データに対応する画像をディスプレイ２２に表示させる。また、出力制御部１９３は、ドライブ１５９から供給される素材データのフレームが切り替わるたびに、フレーム切り替わり信号を発生し、駆動信号発生部１９４に供給する。
【００８４】
駆動信号発生部１９４は、制御信号発生部１９１から供給される振動制御信号と、出力制御部１９３から供給されるフレーム切り替わり信号とに基づいて、駆動部１５７を制御し、タッチパネル２１の表面をパルス的に振動させる。
【００８５】
図５は、図１の画像領域３１に表示される画面の例を示している。
【００８６】
図５の画像領域３１は、画像表示領域２０１および２０２、タイムコード表示領域２０３および２０４、並びにタイムライン表示領域２０５により構成される。
【００８７】
画像表示領域２０１には、素材データの再生が指示されたとき、その素材データに対応する画像が表示される。画像表示領域２０２には、編集結果の再生が指示されたとき、その編集結果に対応する画像が表示される。
【００８８】
タイムコード表示領域２０３には、画像表示領域２０１に表示されている画像のFTC（File Time Code）が左側に表示され、その画像に対応するクリップの終端のFTCが右側に表示される。なお、このFTCは、各ファイルの先頭フレームの番号を「0」とし、その先頭フレームから順番に、各フレームに割り当てられる相対的な位置情報である。
【００８９】
以上のように、編集装置１０では、タイムコード表示領域２０３に、再生中の素材データの画像のFTCが表示されるので、ユーザは、編集点付近でのフレーム調整を行う際、編集点を検索するFTCの範囲である検索範囲を認識することができる。
【００９０】
そこで、ユーザは、認識した探索範囲に対応するパルス的な振動の回数を算出する。その結果、各フレームが再生されるたびにタッチパネル２１の表面がパルス的に振動する場合、ユーザは、タッチパネル２１上に手指などを置いて振動を感知することにより、算出したパルス的な振動の回数に基づいて、画像表示領域２０１に表示されている画像だけを見ながら、検索範囲内の編集点を検索することができる。
【００９１】
例えば、ユーザは、画像表示領域２０１に現在表示されている画像のFTCの前後0.5秒間（15フレーム）を検索範囲として認識した場合、ジョグダイヤル１１７を操作することにより、前進再生と後退再生を行い、その結果画像表示領域２０１に表示される画像を見ながら、それぞれの再生においてタッチパネル２１のパルス的な振動の回数が15回以内の間で編集点を検索する。これにより、ユーザは、検索範囲内の編集点を容易に検索することができる。
【００９２】
タイムコード表示領域２０４には、画像表示領域２０２に表示されている画像の、編集結果を１ファイルとしたときのFTCが左側に表示される。また、タイムコード表示領域２０４には、画像表示領域２０２に表示されている画像に対応する編集結果を１ファイルとしたときの終端のFTCが右側に表示される。
【００９３】
タイムライン表示領域２０５には、画像表示領域２０２に表示されている画像に対応する編集結果のうちの画像データの時系列の情報を表示する画像ライン領域２１１、その編集結果のうちの音声データの時系列の情報を表示する音声ライン領域２１２、およびポインタ２１３が表示される。
【００９４】
画像ライン領域２１１には、画像を表す「ビデオ」という文字が左側に表示され、画像ライン２１１Ａが右側に表示される。画像ライン２１１Ａは、横軸が編集結果を１ファイルとしたときのFTCの先頭から末尾までの範囲を表す四角形であり、クリップ単位の編集結果の先頭位置のFTCに対応する位置で区切られている。
【００９５】
なお、画像ライン２１１Ａにおいて、クリップ単位の編集結果の各先頭位置に対応する位置で区切られることにより形成される四角形の中には、クリップ単位の編集結果のうちの画像データに対応するサムネイル画像が表示されてもよい。
【００９６】
音声ライン領域２１２には、音声を表す「オーディオ」という文字が左側に表示され、音声ライン２１２Ａが右側に表示される。音声ライン２１２Ａは、横軸が編集結果を１ファイルとしたときのFTCの先頭から末尾までの範囲を表す四角形であり、編集結果として出力可能な音声データのチャネルの数に縦方向に分割されている。図５の例では、編集結果として出力可能な音声データのチャネルの数は２つであり、音声ライン２１２Ａは、縦方向に２つに分割されている。２つに分割された四角形のそれぞれには、対応するチャネルの音声の信号のレベルが表示される。
【００９７】
ポインタ２１３は、編集結果における、画像表示領域２０２に表示されている画像の位置を表している。ポインタ２１３は、画像ライン領域２１１と音声ライン領域２１２上の、画像表示領域２０２に表示されている画像のFTCに対応する位置に表示される。
【００９８】
次に、図６を参照して、CPU１５１による、タッチパネル２１の表面をパルス的に振動させる振動処理について説明する。この振動処理は、例えば、圧力検知部１８１から操作位置情報が入力されたとき、開始される。
【００９９】
ステップＳ１１において、制御信号発生部１９１は、圧力検知部１８１から供給される操作位置情報に基づいて、ユーザによりモードボタン１１８に対する操作が行われたかを判定する。ステップＳ１１で、モードボタン１１８に対する操作が行われたと判定された場合、ステップＳ１２において、制御信号発生部１９１は、ジョグダイヤル１１７のモードを、ジョグモードとシャトルモードの一方から他方へ変更し、処理はステップＳ１３に進む。
【０１００】
一方、ステップＳ１１で、モードボタン１１８に対する操作が行われたと判定されていない場合、処理はステップＳ１３に進む。
【０１０１】
ステップＳ１３において、制御信号発生部１９１は、圧力検知部１８１から供給される操作位置情報に基づいて、ユーザによりジョグダイヤル１１７に対する操作が行われたかを判定する。ステップＳ１３で、ジョグダイヤル１１７に対する操作が行われていないと判定された場合、処理は終了する。
【０１０２】
一方、ステップＳ１３で、ジョグダイヤル１１７に対する操作が行われたと判定された場合、ステップＳ１４において、制御信号発生部１９１は、ジョグダイヤル１１７のモードと操作位置情報に基づいて、再生方向と再生速度を決定する。そして、制御信号発生部１９１は、その再生方向と再生速度で再生を行うための再生制御信号を発生し、ドライブ制御部１９２に供給する。
【０１０３】
ステップＳ１５において、ドライブ制御部１９２は、制御信号発生部１９１から供給される再生制御信号に基づいて、ドライブ１５９を制御し、その再生制御信号に対応する再生方向と再生速度で、記録部１６０に記録されている素材データをフレーム単位で再生する。
【０１０４】
ステップＳ１６において、制御信号発生部１９１は、ステップＳ１４で決定された再生速度が略１倍速以下であるかを判定する。ステップＳ１６で、再生速度が略１倍速以下であると判定された場合、ステップＳ１７において、制御信号発生部１９１は、振動の種類として、フレーム切り替わり信号に応じた振動を表す振動制御信号を駆動信号発生部１９４に供給する。
【０１０５】
ステップＳ１８において、駆動信号発生部１９４は、出力制御部１９３から供給されるフレーム切り替わり信号に応じて、駆動部１５７を制御し、パルス的にタッチパネル２１の表面を振動させ、処理を終了する。
【０１０６】
一方、ステップＳ１６で、再生速度が略１倍速以下であると判定されない場合、即ち、再生速度が略１倍速より速い場合、ステップＳ１９において、制御信号発生部１９１は、振動の種類として、所定の間隔の振動を表す振動制御信号を駆動信号発生部１９４に供給する。
【０１０７】
ステップＳ２０において、駆動信号発生部１９４は、駆動部１５７を制御し、再生速度が略１倍速であるときのフレーム切り替わり信号の発生間隔で、パルス的にタッチパネル２１の表面を振動させ、処理を終了する。
【０１０８】
なお、上述した説明では、素材データがフレーム単位で記録されている場合について説明したが、素材データはフィールド単位で記録されていてもよい。この場合、出力制御部１９３は、記録部１６０から再生された素材データのフィールドが切り替わるたびに、フィールドの切り替わりを表すフィールド切り替わり信号を発生し、駆動信号発生部１９４に供給する。その結果、1倍速以下の再生速度で再生中、各フィールドの素材データが再生されるごとに、１フィールドの再生時間（例えば1/60秒）以内でパルス的にタッチパネル２１の表面が振動される。
【０１０９】
また、駆動部１５７は、タッチパネル２１全体の表面を振動させてもよいし、ジョグダイヤル１１７が表示される領域に対応する、タッチパネル２１の表面の領域だけを振動させてもよい。
【０１１０】
さらに、本発明は、ノンリニア編集を行う編集装置だけでなく、データをフレーム単位またはフィールド単位で再生する、その他の再生装置にも適用することができる。
【０１１１】
また、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１１２】
さらに、本発明の実施の形態は、上述した実施の形態に限定されるものではなく、本発明の要旨を逸脱しない範囲において種々の変更が可能である。
【図面の簡単な説明】
【０１１３】
【図１】本発明を適用した編集装置の一実施の形態の構成例を示す斜視図である。
【図２】図１の操作子領域の画面の例を示す図である。
【図３】図１の編集装置の構成例を示すブロック図である。
【図４】図３の編集装置の機能的構成例を示すブロック図である。
【図５】図１の画像領域に表示される画面の例を示す図である。
【図６】CPUによる振動処理について説明するフローチャートである。
【符号の説明】
【０１１４】
２１  タッチパネル，  ２２  ディスプレイ，  １５７  駆動部，  １９１  制御信号発生部，  １９２  ドライブ制御部
【図１】
0004811381.tif 000002
【図２】
0004811381.tif 000003
【図３】
0004811381.tif 000004
【図４】
0004811381.tif 000005
【図５】
0004811381.tif 000006
【図６】
0004811381.tif 000007